(57)【特許請求の範囲】
【請求項１】
床面に対して略水平な使用位置と略垂直な起立位置との間でスイング移動しながらライジング動作可能に椅子本体に支持されている座を具備してなるものであり、
前記椅子本体に対して座を回転可能に支持する回転支持体と、前記回転支持体と座間に設けてなり前記回転支持体の椅子本体に対する回転運動を座のライジング動作に変換し得る動作変換機構とを具備してなるとともに、
回転支持体が、１本のみで座の巾方向略中央かつ奥行き方向中央よりも前方の位置を支持し、
かつ使用位置における座の奥行き方向中央よりも前方の部位と前記回転支持体との間に座を使用位置に保持するストッパを設けていることを特徴とする椅子。
【請求項２】
動作変換機構が、前記回転支持体の回転中心端側に設けた回転力伝達部と、前記回転支持体の自由端側に前記座と一体的に当該回転支持体に対して回転可能となるように設けた回転体と、これら回転力伝達部及び回転体に対して移動可能となるように両者間に連係してなり、前記回転支持体の回転運動を回転力伝達部を介して前記回転体に伝達してその回転を促す伝達要素とを具備してなることを特徴とする請求項１記載の椅子。
【請求項３】
回転支持体が、内部が中空のカバー体を具備してなり、このカバー体内に前記動作変換機構を設けていることを特徴とする請求項１又は２記載の椅子。
【発明の詳細な説明】
【０００１】
【発明の属する技術分野】
本発明は、学校や劇場等で利用されるライジング動作可能な椅子に関するものである。
【０００２】
【従来の技術】
従来から、この種の椅子として、複数の支持体を所要の間隔をあけて設け、それら支持体間に、着座者が席を立った場合に、座本体を自動的に起立位置までライジング動作可能に架設しているものがある。この椅子は、具体的には、座に貫通させた支軸の両端を支持体にそれぞれ固定し、その支軸に対して座を自動的に回転させるように付勢するスプリングを利用して、前記座を床面に対して略水平な使用位置から略垂直に起立する起立位置まで回転させるような跳ね上げ式のものである。
【０００３】
【発明が解決しようとする課題】
しかしながら、このものは、前記座が、支軸を支点として円弧を描きながら回転するものであるので、この椅子と、前方に位置する椅子や机との間の離間距離を十分に確保しなければ、着座者が離着席する途中で座の先端部に引っ掛かって窮屈な思いをしたり、座のスムーズな起倒動作が行い難い等の不具合を生じる。ところが、学校等の講義用の机及び椅子においては限られたスペース内で収容人数をできるだけ多くしたいという要望や、座本体の奥行寸法を十分にとって座り心地を良好にしたい等の要望があり、座本体と、この座本体の先端部側に位置する椅子や机との間の離間距離を十分に確保することは難しいものである。その上、起立位置では、座の裏面が表側に位置するため、裏面側に取り付けた金具類が表側に位置することとなり、座に寄り掛かかる際に金具類が背に当たり不快感を感じる恐れもある。
【０００４】
このような課題に鑑み、近時、椅子本体に対し、座をリンク機構等を利用して使用位置から起立位置まで、座の表面を常に表側に位置させながらスイング移動させるような構成の椅子も開発されている。
【０００５】
ところが、前述したようなリンク機構を利用したものは、座の前後端を支持する前後一対のリンク部材を利用して座を使用位置から起立位置までスイング移動させるものである。そのため、複数のリンク部材が必要となって、構造が複雑なものとなり易い上、リンク部材が外部から露見してデザイン的にも見栄えがよくない等の不具合がある。
【０００６】
【課題を解決するための手段】
上記の問題点を解決するために、本発明は、前記椅子本体に対して座を回転可能に支持する回転支持体を設け、この回転支持体と座との間に、前記回転支持体の椅子本体に対する回転運動を座のライジング動作に変換し得る動作変換機構を設けるようにしている。
【０００７】
【発明の実施の形態】
すなわち、本発明は、床面に対して略水平な使用位置と略垂直な起立位置との間でスイング移動しながらライジング動作可能に椅子本体に支持されている座を具備してなるものであり、前記椅子本体に対して座を回転可能に支持する回転支持体と、前記回転支持体と座間に設けてなり前記回転支持体の椅子本体に対する回転運動を座のライジング動作に変換し得る動作変換機構とを具備してなるとともに、回転支持体が、１本のみで座の巾方向略中央かつ奥行き方向中央よりも前方の位置を支持し、かつ使用位置における座の奥行き方向中央よりも前方の部位と前記回転支持体との間に座を使用位置に保持するストッパを設けていることを特徴とする椅子に関するものである。
【０００８】
このような構成のものにおいて、例えば、動作変換機構が、前記回転支持体の回転中心端側に設けた回転力伝達部と、前記回転支持体の自由端側に前記座と一体的に当該回転支持体に対して回転可能となるように設けた回転体と、これら回転力伝達部及び回転体に対して移動可能となるように両者間に連係してなり、前記回転支持体の回転運動を回転力伝達部を介して前記回転体に伝達してその回転を促す伝達要素とを具備してなるものにし、回転伝達部及び回転体を、スプロケットやプーリー等の歯車やローラー等により構成するとともに、伝達要素をチェーン等から構成すれば、スライド機構やリンク機構等の複雑な機構を用いることなく、１本の回転支持体で座をスイング動作させ得るような構成を実現することができる。したがって、スイング動作可能な椅子を簡単な機構且つシンプルなデザインで実現することが可能となる。
【０００９】
加えて、本発明に係る椅子は、回転支持体が１本で座の巾方向略中央位置を支持するものであるので、机等と組み合わせて使用する場合に、座の左右両端側を支持しているものに比べて、机等の天板の左右巾のピッチ変更に合わせてその左右巾のピッチの変更を柔軟に行い得る。
【００１０】
椅子全体の構成及びデザインをシンプルなものとするには、回転支持体が、内部が中空のカバー体を具備してなり、このカバー体内に前記動作変換機構を設けていることが望ましい。
【００１１】
【実施例】
以下、本発明の一実施例について図面を参照して説明する。
【００１２】
この椅子１は、図１及び図２に示すように、学校等で講義等を行う場合の講義用の机２と組み合わせて利用されるものである。
【００１３】
以下、各部の具体的な構成について詳述する。
【００１４】
机２は、前後方向に列をなすように複数個配置してなるものであり、巾方向に沿って複数人数分を一体に設けた天板２１と、前記天板２１において一人分の天板領域の巾方向中央位置を支持してなる支持体２２とを具備している。この支持体２２は、床面Fに設けたベース２３と、このベース２３から起立させて設けた支柱２４とを具備している。
【００１５】
椅子１は、前記机２において2列目以降の支持体２２の前面に取り付けられ、各前列側の机２と組になって使用されるもので、背もたれ１１と、この背もたれ１１とは別体に設けた座１２とを具備している。背もたれ１１は、前記支柱２４の上端部近傍に角度調整可能に設けてある。座１２は、図２に示すように、床面Ｆに対して略水平な使用位置Pから略垂直に起立した起立位置Ｑとの間でスイング移動しながらライジング動作可能に設けてなるものである。
【００１６】
このような構成のものにおいて、本実施例では、前記座１２を回転支持体たるアーム３を介して回転可能に支持するようにし、前記アーム３と座１２との間に前記アーム３の支柱２４に対する回転運動を座１２のライジング動作に変換し得る動作変換機構４を設けるようにしている。
【００１７】
動作変換機構４は、図３に示すように、前記アーム３の回転中心端である基端３ａ側に設けた回転力伝達部たる第１のスプロケット４１と、前記アーム３の自由端である先端３ｂ側に前記座１２と一体的に設けてなり前記アーム３に対して回転可能である回転体たる第２のスプロケット４２と、これら第１、第２のスプロケット４１、４２に対して移動可能となるように両者間にかけ渡した状態で噛み合わせてあり、前記アーム３の回転運動を前記第１のスプロケット４１を介して前記第２のスプロケット４２に伝達し、その回転を促す伝達要素たるチェーン要素４３とを具備してなる。
【００１８】
アーム３は、内部が中空のカバー体３１から構成されており、このカバー体３１の内部に、前記第１、第２のスプロケット４１、４２及びチェーン要素４３からなる前記動作変換機構４を内蔵している。そして、その基端３ａ側を支柱２４の下端部に設けたブラケットBに支軸ｐを介して正逆方向に回転可能に取り付けてあるとともに、先端３ｂ側に回転軸ｑを介して前記座１２を正逆方向に回転可能に支持させてある。
【００１９】
第１のスプロケット４１は、前記支柱２４の下端部側に設けたブラケットＢに適宜の手段で固定してあり、第２のスプロケット４２は、前記座１２の下面側に適宜の手段で固定してある。
【００２０】
なお、このアーム３には、アーム３の回転運動を付勢するスプリング（図示せず）や、ライジング動作中の座１２に制動力を付与するようなスローライジング機構（図示せず）等も内蔵されている。また、図中符号Ｓで示すものは、座１２とアーム３を使用位置Ｐに保持するストッパである。
【００２１】
次に、この種の椅子１において、座１２をライジングさせる場合の動作について説明する。
【００２２】
着座者が席を立つことによって、座１２に作用する荷重を解除すると、図示しないスプリングがアーム３の回転運動を付勢するため、アーム３は図３中実線で示す位置から想像線で示す位置へと図３中矢印で示す方向へ回転する。そして、このようにアーム３が回転すると、第１のスプロケット４１に巻きつけてあるチェーン要素４３が図中矢印の方向へ移動し、このチェーン要素４３の移動により、第２のスプロケット４２の図中矢印の方向すなわち半時計周りへの回転が促され、座１２は、図３中想像線で示すように、スイング移動しながら使用位置Ｐから起立位置Ｑへとライジング動作を行う。
【００２３】
このような構成のものであると、スライド機構やリンク機構等の複雑な機構を用いることなく、１本のアーム３で座１２をスイング動作させ得るような構成を実現することが可能となる。したがって、スイング動作可能な椅子１を簡単な機構且つシンプルなデザインで実現することが可能となる。
【００２４】
アーム３が、内部が中空のカバー体３１を具備してなり、このカバー体３１内に前記動作変換機構４を設けているならば、カバー体３１内に、歯車やチェーン要素等が収まっているので椅子１全体の構成及びデザインをシンプルなものとすることが可能となる。
【００２５】
アーム３が、1本で座１２の巾方向略中央位置を支持するものであるので、机等と組み合わせて使用する場合に、座１２の左右両端側を支持しているものに比べて、机等の天板の左右巾のピッチ変更に合わせてその左右巾のピッチの変更を柔軟に行うことができる。
【００２６】
また、動作変換機構４をスプロケットを利用して構成しているので、簡単な構成で座１２を一定の比率でライジング動作させることが可能となる。
【００２７】
なお、本発明における構成は、以上説明したものに限定されないのは勿論である。例えば、回転力伝達部及び回転体は、上述したようなスプロケットに限定されず、同じような歯車でもプーリーを使用するようにしてもよい。また、ローラー等であってもよいのは勿論である。さらに、例えば、伝達機構の構成は、チェーンに限定されず、ワイヤ等であってもよいのは、勿論である。その他の構成も本発明の趣旨を逸脱しない範囲で種々変形が可能である。
【００２８】
【発明の効果】
本発明は、以上説明したような構成で実施され以下に記載されるような効果を奏する。
【００２９】
すなわち、本発明は、前記椅子本体に対して座を回転可能に支持する回転支持体と、前記回転支持体と座間に設けてなり前記回転支持体の椅子本体に対する回転運動を座のライジング動作に変換し得る動作変換機構とを具備してなるので、例えば、動作変換機構を、前記回転支持体の回転中心端側に設けた回転力伝達部と、前記回転支持体の自由端側に前記座と一体的に当該回転支持体に対して回転可能となるように設けた回転体と、これら回転力伝達部及び回転体に対して移動可能となるように両者間に連係してなり、前記回転支持体の回転運動を回転力伝達部を介して前記回転体に伝達してその回転を促す伝達要素とを具備してなるものにし、回転伝達部及び回転体を、スプロケットやプーリー等の歯車やローラー等により構成するとともに、伝達要素をチェーン等から構成するようにすれば、スライド機構やリンク機構等の複雑な機構を用いることなく、１本の回転支持体で座をスイング動作させ得るような構成を実現することが可能となる。したがって、スイング動作可能な椅子を簡単な機構で且つシンプルなデザインで実現することが可能となる。
【００３０】
さらに、本発明に係る椅子は、回転支持体が１本で座の巾方向略中央位置を支持するものであるので、机等と組み合わせて使用する場合に、座の左右両端側を支持しているものに比べて、机等の天板の左右巾のピッチ変更に合わせてその左右巾のピッチの変更を柔軟に行うことができる。
【００３１】
回転支持体が、内部が中空のカバー体を具備してなり、このカバー体内に前記動作変換機構を設けているならば、椅子全体の構成及びデザインをシンプルなものとすることが可能となる。
【図面の簡単な説明】
【図１】本発明の一実施例を示す側面図。
【図２】同作用説明図。
【図３】同本発明の構成を模式的に示す側面図。
【符号の説明】
１…椅子
１２…座
３…回転支持体（アーム）
３１…カバー体
４…動作変換機構
４１…回転力伝達部（第１のスプロケット）
４２…回転体（第２のスプロケット）
４３…伝達要素（チェーン要素）
Ｆ…床面
Ｐ…使用位置
Ｑ…起立位置
【図１】
0003810632.tif 000002
【図２】
0003810632.tif 000003
【図３】
0003810632.tif 000004